(57)【要約】【課題】かご戸が開く際に、かご戸の前に乗客が位置しないように確実に規制することができるエレベータの乗かごの提供。【解決手段】本発明に係るエレベータの乗かご１は、かご戸２の近傍の床面３に、乗客がかご戸２の前に位置しないように規制する規制部を備え、この規制部は、床面３から上に突出可能な突出体４から成る構成にしてある。また本発明の乗かご１は、この乗かご１が昇降路内を走行する間、突出体４を床面３から突出させた状態に保持し、乗かご１が所定階に着床し、かご戸２が開く際に、突出体４の上面が床面３と面一になるように突出体４を駆動するリンク機構５、及び電動モータ６を含む駆動部を備えている。突出体４は、床面３から突出させた際の側面視の形状が、例えば長方形となるように構成してある。【選択図】図３
2016060633.tif 000002
【特許請求の範囲】
【請求項１】
かご戸の近傍の床面に、乗客が前記かご戸の前に位置しないように規制する規制部を備えたエレベータの乗かごにおいて、
前記規制部は、前記床面から上に突出可能な突出体から成ることを特徴とするエレベータの乗かご。
【請求項２】
請求項１に記載のエレベータの乗かごにおいて、
当該乗かごが昇降路内を走行する間、前記突出体を前記床面から突出させた状態に保持し、前記乗かごが所定階に着床し、前記かご戸が開く際に、前記突出体の上面が上記床面と面一となるように前記突出体を駆動する駆動部を備えたことを特徴とするエレベータの乗かご。
【請求項３】
請求項２に記載のエレベータの乗かごにおいて、
前記駆動部は、前記突出体を昇降させる昇降機構と、この昇降機構を駆動する電動モータとを含むことを特徴とするエレベータの乗かご。
【請求項４】
請求項１〜３のいずれか１項に記載のエレベータの乗かごにおいて、
前記突出体は、前記床面から突出させた際の側面視の形状が長方形、または三角形から成ることを特徴とするエレベータの乗かご。
【請求項５】
請求項４に記載のエレベータの乗かごにおいて、
前記乗かごが着床する所定階の乗場に、前記乗かごを利用しようとする乗客が乗場戸の前に位置しないように規制する別の規制部を備え、
前記別の規制部は、前記乗場の前記床面から上に突出可能な別の突出体から成ることを特徴とするエレベータの乗かご。
【発明の詳細な説明】
【技術分野】
【０００１】
本発明は、かご戸に対する乗客の位置を規制する規制部を備えたエレベータの乗かごに関する。
【背景技術】
【０００２】
この種の従来技術が特許文献１に開示されている。この従来技術は、車椅子使用者の乗り降りに必要なスペースを確保するために、かご戸の近傍の床面に、乗かごの乗客がかご戸の前に位置しないように規制する規制部、すなわち乗かごの床面に表示する表示手段、例えば面状発光パネルを備えた構成にしてある。
【先行技術文献】
【特許文献】
【０００３】
【特許文献１】特開２００９−１７３３８１号公報
【発明の概要】
【発明が解決しようとする課題】
【０００４】
前述した特許文献１に開示された従来技術は、面状発光パネル等の表示手段が乗かごの床面と面一に設けられるものであることから、乗かごの乗客が表示手段のスペースに容易に入り込みやすい。したがって、車椅子使用者、あるいは他の乗客の乗かごに対する入退出に際して、かご戸の前に乗客が存在して、入退出する乗客の邪魔になってしまう懸念がある。
【０００５】
本発明は、前述した従来技術における実情からなされたもので、その目的は、かご戸が開く際に、かご戸の前に乗客が位置しないように確実に規制することができるエレベータの乗かごを提供することにある。
【課題を解決するための手段】
【０００６】
前記目的を達成するために、本発明に係るエレベータの乗かごは、かご戸の近傍の床面に、乗客が前記かご戸の前に位置しないように規制する規制部を備えたエレベータの乗かごにおいて、前記規制部は、前記床面から上に突出可能な突出体から成ることを特徴としている。
【発明の効果】
【０００７】
本発明に係るエレベータの乗かごは、当該乗かごの乗客がかご戸の前に位置しないように規制する規制部が、乗かごの床面から上に突出可能な突出体から成り、乗かごが所定階に着床してかご戸が開く直前まで突出体を乗かごの床面から突出させた状態に保持しておくことにより、かご戸が開く際に、かご戸の前に乗客が位置しないように確実に規制することができる。これにより本発明は、乗かごに対する乗客の入退出を従来よりも円滑に行わせ、エレベータの乗客に対するサービス性を向上させることができる。
【図面の簡単な説明】
【０００８】
【図１】本発明に係るエレベータの乗かごの第１実施形態を示す横断面図である。
【図２】第１実施形態の着床時の状態を示す斜視図である。
【図３】第１実施形態の走行時の状態を示す斜視図である。
【図４】第１実施形態の要部縦断面図である。
【図５】第１実施形態の駆動部を示す図である。
【図６】本発明の第２実施形態を示す斜視図である。
【図７】本発明の第３実施形態の要部を示す側面図である。
【図８】本発明の第４実施形態の要部を示す側面図である。
【図９】本発明の第５実施形態の要部を示す側面図である。
【発明を実施するための形態】
【０００９】
以下、本発明に係るエレベータの乗かごの実施の形態を図面に基づいて説明する。
【００１０】
図１は本発明に係るエレベータの乗かごの第１実施形態を示す横断面図、図２は第１実施形態の着床時の状態を示す斜視図、図３は第１実施形態の走行時の状態を示す斜視図、図４は第１実施形態の要部縦断面図、図５は第１実施形態の駆動部を示す図である。
【００１１】
図１〜４に示すように、本発明の第１実施形態に係る乗かご１は、かご戸２の近傍の床面３に、乗客がかご戸２の前に位置しないように規制する規制部を備え、この規制部は、乗かご１の床面３から上に突出可能な突出体４から成っている。
【００１２】
突出体４を床面３から突出させた際の側面視の形状は例えば、図３，４に示すように長方形から成っている。
【００１３】
また、この第１実施形態は、乗かご１が昇降路内を走行する間、図３に示すように、突出体４を床面３から突出させた状態に保持し、乗かご１が所定階に着床し、かご戸２が開く際に、図２に示すように、突出体４の上面が床面３と面一になるように突出体を駆動する駆動部を備えている。この駆動部は、突出体４を昇降させる昇降機構、例えば図５に示すリンク機構５と、このリンク機構５を駆動する電動モータ６とを含んでいる。
【００１４】
この第１実施形態にあっては、乗かご１の走行時には乗かご１の走行制御と連動して図示しない制御装置からの信号によって、電動モータ６を所定方向に回転駆動することにより、図５に示すようにリンク機構５が上昇し、これに伴って突出体４が上昇した状態に保たれる。すなわち、乗かご１の床面３から突出体４が突出した状態に保たれる。したがって乗かご１内の乗客は、強制的に突出体４上に乗り込まないように注意が促される。
【００１５】
また、乗かご１の所定階の着床に際しては、乗かご１のかご戸２の開制御と連動して図示しない制御装置からの信号によって電動モータを、例えば前述の所定方向とは逆方向に回転するように駆動することにより、図５に示したリンク機構５が下降し、これに伴って突出体４はその上面が乗かご１の床面３と面一になるまで下降する。したがって、かご戸２が開いた際に、乗かご１の乗客は突出体４に規制されることなく乗かご１から乗場に退出することができる。また、所定階の乗場の乗客は、突出体４に規制されることなく、乗場から乗かご１に乗り込むことができる。
【００１６】
以上のように、この第１実施形態によれば、乗かご１の乗客がかご戸２の前に位置しないように規制する規制部が、乗かご１の床面３から突出可能な突出体４から成り、乗かご１が所定階に着床してかご戸２が開く直前まで突出体４を乗かご１の床面３から突出させた状態に保持しておくことにより、かご戸２が開く際に、かご戸２の前に乗客が位置しないように確実に規制することができる。これにより本実施形態は、乗かご１に対する乗客の入退出を円滑に行わせ、エレベータの乗客に対するサービス性を向上させることができる。
【００１７】
図６は本発明の第２実施形態を示す斜視図、図７は本発明の第３実施形態の要部を示す側面図、図８は本発明の第４実施形態の要部を示す側面図、図９は本発明の第５実施形態の要部を示す側面図である。
【００１８】
図６に示す第２実施形態は、突出体７の側面視の形状が三角形を形成し、突出体７を突出させた際に上面が傾斜面となる構成にしてある。
【００１９】
図７に示す第３実施形態は、突出体８が円錐形を形成するように構成してある。図８に示す第４実施形態は、突出体９の側面視が楕円を略半分に切断した形状となるように構成してある。図９に示す第５実施形態は、突出体１０の側面視が複数の突出部を有する不定形の形状となるように構成してある。
【００２０】
これらの図６〜９に示した第２〜第５実施形態も、第１実施形態と同様の効果を得ることができる。
【００２１】
なお、前述した各実施形態の構成に加えて、乗かご１が着床する所定階の乗場に、乗かご１を利用しようとする乗客が乗場戸の前に位置しないように規制する別の規制部を設け、この別の規制部が、乗場の床面から上に突出可能な別の突出部から成る構成にしてもよい。
【００２２】
このように構成したものでは、かご戸２及び乗場戸が開く際に、かご戸２及び乗場戸の前に乗客が位置しないように規制でき、乗客の乗かご１に対する入退出をより円滑に行わせることができる。
【符号の説明】
【００２３】
１    乗かご
２    かご戸
３    床面
４    突出体（規制部）
５    リンク機構
６    電動モータ
７    突出体（規制部）
８    突出体（規制部）
９    突出体（規制部）
１０  突出体（規制部）
【図１】
2016060633.tif 000003
【図２】
2016060633.tif 000004
【図３】
2016060633.tif 000005
【図４】
2016060633.tif 000006
【図５】
2016060633.tif 000007
【図６】
2016060633.tif 000008
【図７】
2016060633.tif 000009
【図８】
2016060633.tif 000010
【図９】
2016060633.tif 000011